(57)【要約】【課題】レリーズスイッチに人差し指を置いた状態で撮影時における撮影機能を変更することができる撮像装置、撮像方法およびプログラムを提供する。【解決手段】撮像装置１は、撮像装置１の撮影パラメータを変更可能な撮影機能が割り当てられ、この撮影機能の撮影パラメータの変更を指示する変更信号の入力を受け付ける第１操作部３と、外部からの押圧により進退可能であり、半押しされた場合に撮影準備動作を指示する撮影準備信号の入力を受け付ける一方、全押しされた場合に撮影を指示する撮影信号の入力を受け付けるレリーズスイッチ４ｂと、レリーズスイッチ４ｂが半押しされた場合、第１操作部３に割り当てられた撮影機能を切り換える制御部９と、を備える。【選択図】図２
2015052768.tif 000002
【特許請求の範囲】
【請求項１】
被写体を撮像し、該被写体の画像データを生成可能な撮像装置であって、
予め設定された撮影機能の撮影パラメータの変更を指示する変更信号の入力を受け付ける操作部と、
外部からの押圧により突没可能であり、半押しされた場合に撮影準備動作を指示する撮影準備信号の入力を受け付ける一方、全押しされた場合に撮影を指示する撮影信号の入力を受け付けるレリーズスイッチと、
前記レリーズスイッチから前記撮影準備信号が入力された場合、前記操作部に設定された撮影機能を切り換える制御部と、
を備えたことを特徴とする撮像装置。
【請求項２】
前記制御部は、前記レリーズスイッチから前記撮影準備信号が入力された場合、前記操作部に設定された撮影機能を、前記被写体の撮影条件の変化に対応可能な撮影機能に切り換えることを特徴とする請求項１に記載の撮像装置。
【請求項３】
前記被写体の撮影条件の変化に対応可能な撮影機能は、前記画像データに対応する画像の絵作りの仕上がりで優先度の高い撮影パラメータを変更可能なものであることを特徴とする請求項２に記載の撮像装置。
【請求項４】
前記制御部は、当該撮像装置が前記被写体に対して焦点位置および／または測光値を固定した後に、前記操作部の撮影機能を切り換えることを特徴とする請求項１または２に記載の撮像装置。
【請求項５】
当該撮像装置が設定可能な複数の撮影機能のうち少なくとも１つ以上の撮影機能を前記操作部に設定する設定部をさらに備え、
前記操作部は、複数の操作部材を有し、
前記設定部は、前記複数の操作部材の各々に、互いに異なる撮影機能を設定し、
前記制御部は、前記レリーズスイッチから前記撮影準備信号が入力された場合、前記設定部によって設定された前記複数の操作部材の各々の撮影機能を切り換えることを特徴とする請求項１〜４のいずれか一つに記載の撮像装置。
【請求項６】
前記複数の操作部材の各々に異なる撮影機能を設定する第１モードと、前記複数の操作部材の各々に設定された前記第１モードと異なり、少なくとも前記第１モードより優先度の高い撮影機能を設定する第２モードとの間で切り換える切換設定部をさらに備え、
前記制御部は、前記切換設定部が前記第１モードを設定している場合において、前記レリーズスイッチから前記撮影準備信号が入力されたとき、前記第２モードに切り換えることを特徴とする請求項５に記載の撮像装置。
【請求項７】
前記複数の操作部材は、互いに異なる軸を中心にして回転可能な２つの回転部材であり、
前記設定部は、前記２つの回転部材の各々に、互いに異なる撮影機能を設定し、
前記レリーズスイッチは、一方の前記回転部材の軸上に設けられ、
前記制御部は、前記レリーズスイッチから前記撮影準備信号が入力された場合、少なくとも他方の前記回転部材に割り当てられた撮影機能を切り換えることを特徴とする請求項５または６に記載の撮像装置。
【請求項８】
前記制御部は、前記レリーズスイッチから前記撮影準備信号が入力された場合、撮影機能として露出補正、シャッタスピードおよび絞り値のいずれか一つに切り換えることを特徴とする請求項１〜７のいずれか一つに記載の撮像装置。
【請求項９】
前記画像データに対応する画像を表示する表示部をさらに備え、
前記制御部は、前記レリーズスイッチから前記撮影準備信号が入力された場合において、前記操作部に設定された撮影機能を切り換えたとき、前記画像上に前記操作部の撮影機能に関する情報を重畳して前記表示部に表示させることを特徴とする請求項１〜８のいずれか一つに記載の撮像装置。
【請求項１０】
被写体を撮像し、該被写体の画像データを生成可能な撮像装置が実行する撮像方法であって、
外部からの押圧により突没可能なレリーズスイッチから撮影準備信号が入力された場合、予め設定された操作部の撮影機能を切り換える制御ステップを実行することを特徴とする撮像方法。
【請求項１１】
被写体を撮像し、該被写体の画像データを生成可能な撮像装置に、
外部からの押圧により突没可能なレリーズスイッチから撮影準備信号が入力された場合、予め設定された操作部の撮影機能を切り換える制御ステップを含むことを特徴とするプログラム。
【発明の詳細な説明】
【技術分野】
【０００１】
本発明は、被写体を撮像して該被写体の画像データを生成する撮像装置、撮像方法およびプログラムに関する。
【背景技術】
【０００２】
近年、デジタルカメラ等の撮像装置において、ユーザの操作によって、レリーズスイッチの近傍に設けられた複数の操作部材の各々に、所望の撮影パラメータを変更可能な撮影機能、たとえば絞り値や露出補正を割り当てることができる技術が知られている（特許文献１参照）。この技術では、ユーザが複数の操作部材のいずれかを操作した場合、操作された操作部材に割り当てられた撮影機能に切り換えて撮影パラメータの変更を行いながら撮影を行う。
【先行技術文献】
【特許文献】
【０００３】
【特許文献１】特開２０１２−２２６２１４号公報
【発明の概要】
【発明が解決しようとする課題】
【０００４】
しかしながら、上述した特許文献１では、ユーザがレリーズスイッチに人差し指を置いて半押しした状態で、撮影時における撮影機能の撮影パラメータを変更することが考慮されていなかった。一方、レリーズスイッチに人差し指を置いて半押しした状態で、撮影時における撮影機能の撮影パラメータを変更したい要望がある。
【０００５】
本発明は、上記に鑑みてなされたものであって、レリーズスイッチに人差し指を置いた状態で撮影時における撮影機能を変更することができる撮像装置、撮像方法およびプログラムを提供することを目的とする。
【課題を解決するための手段】
【０００６】
上述した課題を解決し、目的を達成するために、本発明に係る撮像装置は、被写体を撮像し、該被写体の画像データを生成可能な撮像装置であって、予め設定された撮影機能の撮影パラメータの変更を指示する変更信号の入力を受け付ける操作部と、外部からの押圧により突没可能であり、半押しされた場合に撮影準備動作を指示する撮影準備信号の入力を受け付ける一方、全押しされた場合に撮影を指示する撮影信号の入力を受け付けるレリーズスイッチと、前記レリーズスイッチから前記撮影準備信号が入力された場合、前記操作部に設定された撮影機能を切り換える制御部と、を備えたことを特徴とする。
【０００７】
また、本発明に係る撮像装置は、上記発明において、前記制御部は、前記レリーズスイッチから前記撮影準備信号が入力された場合、前記操作部に設定された撮影機能を、前記被写体の撮影条件の変化に対応可能な撮影機能に切り換えることを特徴とする。
【０００８】
また、本発明に係る撮像装置は、上記発明において、前記被写体の撮影条件の変化に対応可能な撮影機能は、前記画像データに対応する画像の絵作りの仕上がりで優先度の高い撮影パラメータを変更可能なものであることを特徴とする。
【０００９】
また、本発明に係る撮像装置は、上記発明において、前記制御部は、当該撮像装置が前記被写体に対して焦点位置および／または測光値を固定した後に、前記操作部の撮影機能を切り換えることを特徴とする。
【００１０】
また、本発明に係る撮像装置は、上記発明において、当該撮像装置が設定可能な複数の撮影機能のうち少なくとも１つ以上の撮影機能を前記操作部に設定する設定部をさらに備え、前記操作部は、複数の操作部材を有し、前記設定部は、前記複数の操作部材の各々に、互いに異なる撮影機能を設定し、前記制御部は、前記レリーズスイッチから前記撮影準備信号が入力された場合、前記設定部によって設定された前記複数の操作部材の各々の撮影機能を切り換えることを特徴とする。
【００１１】
また、本発明に係る撮像装置は、上記発明において、前記複数の操作部材の各々に異なる撮影機能を設定する第１モードと、前記複数の操作部材の各々に設定された前記第１モードと異なり、少なくとも前記第１モードより優先度の高い撮影機能を設定する第２モードとの間で切り換える切換設定部をさらに備え、前記制御部は、前記切換設定部が前記第１モードを設定している場合において、前記レリーズスイッチから前記撮影準備信号が入力されたとき、前記第２モードに切り換えることを特徴とする。
【００１２】
また、本発明に係る撮像装置は、上記発明において、前記複数の操作部材は、互いに異なる軸を中心にして回転可能な２つの回転部材であり、前記設定部は、前記２つの回転部材の各々に、互いに異なる撮影機能を設定し、前記レリーズスイッチは、一方の前記回転部材の軸上に設けられ、前記制御部は、前記レリーズスイッチから前記撮影準備信号が入力された場合、少なくとも他方の前記回転部材に割り当てられた撮影機能を切り換えることを特徴とする。
【００１３】
また、本発明に係る撮像装置は、上記発明において、前記制御部は、前記レリーズスイッチから前記撮影準備信号が入力された場合、撮影機能として露出補正、シャッタスピードおよび絞り値のいずれか一つに切り換えることを特徴とする。
【００１４】
また、本発明に係る撮像装置は、上記発明において、前記画像データに対応する画像を表示する表示部をさらに備え、前記制御部は、前記レリーズスイッチから前記撮影準備信号が入力された場合において、前記操作部に設定された撮影機能を切り換えたとき、前記画像上に前記操作部の撮影機能に関する情報を重畳して前記表示部に表示させることを特徴とする。
【００１５】
また、本発明に係る撮像方法は、被写体を撮像し、該被写体の画像データを生成可能な撮像装置が実行する撮像方法であって、外部からの押圧により突没可能なレリーズスイッチから撮影準備信号が入力された場合、予め設定された操作部の撮影機能を切り換える制御ステップを実行することを特徴とする。
【００１６】
また、本発明に係るプログラムは、被写体を撮像し、該被写体の画像データを生成可能な撮像装置に、外部からの押圧により突没可能なレリーズスイッチから撮影準備信号が入力された場合、予め設定された操作部の撮影機能を切り換える制御ステップを含むことを特徴とする。
【発明の効果】
【００１７】
本発明によれば、レリーズスイッチに人差し指に置いた状態で被写体の撮影条件の変化に即応することができるという効果を奏する。
【図面の簡単な説明】
【００１８】
【図１】図１は、本発明の実施の形態１に係る撮像装置の被写体に面する側の構成を示す斜視図である。
【図２】図２は、本発明の実施の形態１に係る撮像装置の機能構成を示すブロック図である。
【図３】図３は、本発明の実施の形態１に係る撮像装置が実行する処理の概要を示すフローチャートである。
【図４】図４は、本発明の実施の形態１に係る撮像装置の表示部が表示する画像の一例を示す図である。
【図５ａ】図５ａは、本発明の実施の形態１に係る撮像装置の表示部が表示するＰモードのメニュー画像の一例を示す図である。
【図５ｂ】図５ｂは、本発明の実施の形態１に係る撮像装置の表示部が表示するＳモードのメニュー画像の一例を示す図である。
【図５ｃ】図５ｃは、本発明の実施の形態１に係る撮像装置の表示部が表示するＡモードのメニュー画像の一例を示す図である。
【図５ｄ】図５ｄは、本発明の実施の形態１に係る撮像装置の表示部が表示するＭモードのメニュー画像の一例を示す図である。
【図５ｅ】図５ｅは、本発明の実施の形態１に係る撮像装置の表示部が表示する別のＰモードのメニュー画像の一例を示す図である。
【図５ｆ】図５ｆは、本発明の実施の形態１に係る撮像装置の表示部が表示する別のＳモードのメニュー画像の一例を示す図である。
【図５ｇ】図５ｇは、本発明の実施の形態１に係る撮像装置の表示部が表示する別のＡモードのメニュー画像の一例を示す図である。
【図５ｈ】図５ｈは、本発明の実施の形態１に係る撮像装置の表示部が表示する別のＭモードのメニュー画像の一例を示す図である。
【図６】図６は、本発明の実施の形態１に係る撮像装置の第２操作部を操作して撮影パラメータを変更する際の状況を示す図である。
【図７】図７は、図３の撮影パラメータ設定変更受付処理の概要を示すフローチャートである。
【図８】図８は、本発明の実施の形態１に係る撮像装置のレリーズスイッチを半押しした状態で第１操作部を操作する状況を模式的に示す図である。
【図９】図９は、本発明の実施の形態１に係る撮像装置のレリーズスイッチを半押しした状態で第１操作部を操作した際に表示部が表示するライブビュー画像の一例を示す図である。
【図１０】図１０は、本発明の実施の形態２に係る撮像装置の被写体に面する側の構成を示す斜視図である。
【図１１】図１１は、本発明の実施の形態２に係る撮像装置の撮影者側の構成を示す斜視図である。
【図１２】図１２は、本発明の実施の形態２に係る撮像装置の上面の構成を示す正面図である。
【図１３】図１３は、本発明の実施の形態２に係る撮像装置の機能構成を示すブロック図である。
【図１４】図１４は、本発明の実施の形態２に係る撮像装置が実行する撮影パラメータ設定変更受付処理の概要を示すフローチャートである。
【図１５】図１５は、発明の実施の形態２に係る撮像装置のレリーズスイッチを半押しした状態で第１操作部を操作する状況を模式的に示す図である。
【図１６】図１６は、本発明の実施の形態２の変形例に係る撮像装置が実行する撮影パラメータ設定変更受付処理の概要を示すフローチャートである。
【図１７】図１７は、本発明のその他の実施の形態に係る変形例１の撮像装置の被写体に面する側の構成を示す斜視図である。
【図１８】図１８は、本発明のその他の実施の形態に係る変形例２の撮像装置の被写体に面する側の構成を示す斜視図である。
【図１９】図１９は、本発明のその他の実施の形態に係る変形例３の撮像装置の被写体に面する側の構成を示す斜視図である。
【発明を実施するための形態】
【００１９】
以下、図面を参照して、本発明を実施するための形態（以下、「実施の形態」という）について説明する。また、以下の実施の形態により、本発明が限定されるものではない。さらに、図面の記載において、同一の部分には同一の符号を付している。さらにまた、図面は、模式的なものであり、各部材の厚みと幅との関係、各部材の比率等は、現実と異なることに留意する必要がある。また、図面の相互間においても、互いの寸法や比率が異なる部分が含まれている。
【００２０】
（実施の形態１）
図１は、本発明の実施の形態１に係る撮像装置の被写体に面する側（前面側）の構成を示す斜視図である。図２は、本発明の実施の形態１に係る撮像装置の機能構成を示すブロック図である。
【００２１】
図１および図２に示す撮像装置１は、撮像部２と、第１操作部３と、レリーズ機構４と、変更指示部５と、表示部６と、記録部７と、記録媒体８と、制御部９と、を備える。
【００２２】
撮像部２は、制御部９の制御のもと、被写体を撮像して画像データを生成する。撮像部２は、複数のレンズから構成され、被写体像を結像する光学系と、光学系の光量を調整する絞りと、光学系が結像した被写体像を受光して光電変換を行うことによって画像データを生成するＣＣＤ（Charge  Coupled  Device）やＣＭＯＳ（Complementary  Metal  Oxide  Semiconductor）等の撮像素子と、撮像素子の状態を露光状態または遮光状態に設定するシャッタと、撮像素子が生成した画像データに対して所定のアナログ処理を行う信号処理部と、信号処理部から入力されるアナログの画像データに対してＡ／Ｄ変換を行うことによってデジタルの画像データを生成して制御部９へ出力するＡ／Ｄ変換部と、を用いて構成される。
【００２３】
第１操作部３は、予め割り当てられた撮影機能の撮影パラメータの値を変更する指示信号の入力を受け付ける。第１操作部３は、撮像装置１の上面の撮影者側に設けられる。第１操作部３は、所定の軸を中心に回転可能に設けられる。第１操作部３は、ダイヤル式の回転部材を用いて構成される。
【００２４】
レリーズ機構４は、第２操作部４ａと、レリーズスイッチ４ｂと、を有する。第２操作部４ａは、予め割り当てられた撮影機能の撮影パラメータの値を変更する指示信号の入力を受け付ける。第２操作部４ａは、撮像装置１の上面であって、被写体側の上面に設けられる。第２操作部４ａは、所定の軸Ｐ１を中心に回転可能に設けられる。第２操作部４ａは、ダイヤル式の回転部材を用いて構成される。
【００２５】
レリーズスイッチ４ｂは、外部からの押圧により突没可能（上下可能）であり、半押しされた場合に撮影準備動作を指示する撮影準備信号（以下、「１ｓｔ」という）の入力を受け付ける一方、全押しされた場合に撮影を指示する撮影信号（以下、「２ｎｄ」という）の入力を受け付ける。レリーズスイッチ４ｂは、第２操作部４ａの軸Ｐ１上であって、第２操作部４ａの上面に設けられる。
【００２６】
変更指示部５は、撮像装置１の各種設定を指示する指示信号の入力を受け付ける。変更指示部５は、第１操作部３および第２操作部４ａそれぞれに割り当てる撮影機能を設定する設定信号の入力を受け付ける。変更指示部５は、たとえば十字キーやジョグダイヤル、および操作内容を決定する信号の入力を受け付けるＯＫボタン等を用いて構成される。なお、本実施の形態１では、変更指示部５が設定部として機能する。
【００２７】
表示部６は、制御部９の制御のもと、撮像部２が生成した画像データに対応する画像を表示する。ここで、画像の表示には、撮影直後の画像データを所定時間（たとえば３秒間）だけ表示するレックビュー表示、記録媒体８に記録された画像データを再生する再生表示、および撮像部２が連続的に生成する画像データに対応するライブビュー画像を時系列に沿って順次表示するライブビュー表示等が含まれる。また、表示部６は、撮像装置１の操作情報および撮影に関する情報を表示する。表示部６は、液晶または有機ＥＬ（Electro  Luminescence）からなる表示パネルおよび駆動ドライバ等を用いて構成される。
【００２８】
記録部７は、制御部９を介して入力される画像データ、撮像装置１の処理中の情報、撮像装置１を動作させるための各種プログラムや本実施の形態１に係るプログラムおよびプログラムの実行中に使用される各種データ等を記録する。記録部７は、ＳＤＲＡＭ（Synchronous  Dynamic  Random  Access  Memory）およびＦｌａｓｈメモリ等を用いて構成される。また、記録部７は、優先度情報記録部７ａを有する。
【００２９】
優先度情報記録部７ａは、ユーザが撮像部２で生成される画像データに対応する画像の絵作りの仕上がりで最も反映させた優先度の高い撮影パラメータを変更可能な撮影機能を記録する。具体的には、優先度情報記録部７ａは、絵作りの仕上がり結果で優先度の高い撮影パラメータとしては、露出補正、シャッタスピード、絞り値、コントラストおよび彩度等である。ユーザは、変更指示部５によって予め撮影パラメータを選択して優先度情報記録部７ａに記録（登録）させる。
【００３０】
記録媒体８は、制御部９を介して入力される画像データを記録する。記録媒体８は、撮像装置１の外部から装着されるメモリカード等を用いて構成され、図示しないメモリＩ／Ｆを介して撮像装置１に着脱自在に装着される。記録媒体８は、制御部９の制御のもと、画像データまたは動画データが書き込まれる。また、記録媒体８は、制御部９によって記録された画像データまたは動画データが読み出される。
【００３１】
制御部９は、撮像装置１を構成する各部に対応する指示やデータの転送等を行って撮像装置１の動作を統括的に制御する。制御部９は、ＣＰＵ（Central  Processing  Unit）等を用いて構成される。
【００３２】
ここで、制御部９の詳細な構成について説明する。制御部９は、パラメータ制御部９ａと、撮影制御部９ｂと、表示制御部９ｃと、を有する。
【００３３】
パラメータ制御部９ａは、第１操作部３または第２操作部４ａから入力される指示信号に応じて撮像部２の撮影パラメータを設定する。具体的には、パラメータ制御部９ａは、第１操作部３からＩＳＯ感度を変更する指示信号が入力された場合、撮像部２のＩＳＯ感度を変更する。また、パラメータ制御部９ａは、変更指示部５から第１操作部３および第２操作部４ａそれぞれの撮影機能を設定する設定信号に基づいて、第１操作部３および第２操作部４ａに割り当てる。
【００３４】
また、パラメータ制御部９ａは、レリーズスイッチ４ｂから１ｓｔが入力された場合（半押しされた場合）、第１操作部３に割り当てられた撮影機能を切り換える。具体的には、パラメータ制御部９ａは、レリーズスイッチ４ｂから１ｓｔが入力された場合（半押しされた場合）、第１操作部３に割り当てられた撮影機能、被写体の撮影条件の変化に対応可能な撮影機能に切り換える。たとえば、パラメータ制御部９ａは、レリーズスイッチ４ｂから１ｓｔが入力された場合、優先度情報記録部７ａに記録された優先度情報を参照して、第１操作部３および第２操作部４ａに割り当てられた撮影機能を、画像データに対応する画像の仕上がり結果で優先度の高い撮影パラメータを有する撮影機能、たとえば露出補正を変更可能な撮影機能に切り換える。
【００３５】
撮影制御部９ｂは、パラメータ制御部９ａが設定した撮影パラメータで撮像装置１における撮影動作を開始する制御を行う。具体的には、撮影制御部９ｂは、レリーズスイッチ４ｂから１ｓｔが入力された場合、撮像装置１に撮影準備動作を実行させる一方、レリーズスイッチ４ｂから２ｎｄが入力された場合、パラメータ制御部９ａが設定した撮影パラメータで撮像装置１に撮影動作を実行させる。ここで、撮影準備動作とは、撮像装置１の露出値を自動で決定する自動露出処理（以下、「ＡＥ処理」という）および撮像装置１のピント位置を自動で決定する自動焦点調整処理（以下、「ＡＦ処理」という）を行って、撮像装置１の測光値および／または焦点位置を固定する動作をいう。また、撮影動作とは、撮像部２が生成した画像データに対し、所定の処理、たとえば現像処理を含む画像処理および圧縮処理を施して記録媒体８に記録する動作をいう。
【００３６】
表示制御部９ｃは、撮像部２が生成した画像データに対応する画像を表示部６に表示させる。具体的には、表示制御部９ｃは、撮像部２が連続的に生成する画像データに対応するライブビュー画像を時系列に沿って表示部６に表示させる。また、表示制御部９ｃは、第１操作部３および第２操作部４ａに割り当てられた撮影機能に関する情報をライブビュー画像に重畳して表示部６に表示させる。
【００３７】
以上の構成を有する撮像装置１が実行する処理について説明する。図３は、撮像装置１が実行する処理の概要を示すフローチャートである。
【００３８】
図３に示すように、撮像装置１に撮影モードが設定されている場合（ステップＳ１０１：Ｙｅｓ）について説明する。この場合、撮像部２は、撮影制御部９ｂの制御のもと、撮像を実行する（ステップＳ１０２）。
【００３９】
続いて、表示制御部９ｃは、撮像部２が生成した画像データに対応するライブビュー画像を表示部６に表示させる（ステップＳ１０３）。具体的には、図４に示すように、表示制御部９ｃは、撮像部２が生成した画像データに対応するライブビュー画像ＬＶ1を表示部６に表示させる。この際、表示制御部９ｃは、第１操作部３および第２操作部４ａに割り当てられた撮影機能に関する情報をライブビュー画像ＬＶ1に重畳して表示部６に表示させる。具体的には、表示制御部９ｃは、第１操作部３を示すアイコンＡ２の上部に撮影機能としてのＩＳＯ感度を示すアイコンＡ11を、第２操作部４ａを示すアイコンＡ１の下部に撮影機能としてのホワイトバランスを示すアイコンＡ12をライブビュー画像ＬＶ1に重畳して表示部６に表示させる。
【００４０】
その後、制御部９は、変更指示部５から第１操作部３および第２操作部４ａそれぞれの撮影機能の割り当ての設定を変更する変更信号が入力されたか否かを判断する（ステップＳ１０４）。制御部９が変更指示部５から第１操作部３およびレリーズ機構４の第２操作部４ａそれぞれの撮影機能の割り当ての設定を変更する変更信号が入力されたと判断した場合（ステップＳ１０４：Ｙｅｓ）、撮像装置１は、後述するステップＳ１０５へ移行する。これに対して、制御部９が変更指示部５から第１操作部３およびレリーズ機構４の第２操作部４ａそれぞれの撮影機能の割り当てを変更する変更信号が入力されていないと判断した場合（ステップＳ１０４：Ｎｏ）、撮像装置１は、後述するステップＳ１０６へ移行する。
【００４１】
ステップＳ１０５において、パラメータ制御部９ａは、第１操作部３および第２操作部４ａそれぞれに割り当てられた撮影機能を、変更指示部５から入力される設定信号に応じた撮影機能に切り換える。具体的には、変更指示部５から変更信号が入力された場合、表示制御部９ｃは、図５（ａ）〜図５（ｄ）に示すメニューで設定した機能割り当てに従って変更される。図５（ａ）〜図５（ｄ）に示す設定メニューは、変更指示部５のメニューボタン（図示せず）を押し、十字ボタン（図示せず）を操作することで表示される。図５（ａ）〜図５（ｄ）に示す設定メニューは、各撮影モード（Ｐモード、Ａモード、Ｓモード、Ｍモード)を指定し、撮影モード毎ごとに、Ａ状態、Ｂ状態、半押し時における前ダイヤル(第１操作部）、後ろダイヤル（第２操作部)の機能を定義することができる。機能の選択は。十字ボタンの上下ボタンで行い、各撮影モードの変更や、各状態の前ダイヤル、後ろダイヤルにおける選択は、十字ボタンの左右ボタンで行う。定義する機能は、それぞれ、露出補正、Ｐｓ（Ｐシフト）、絞り、シャッタスピード、ＩＳＯ感度、ＷＢ、コントラスト、彩度、シャープネス等の絵作りに必要な撮影パラメータをユーザが必要に応じて設定する。実際の撮影時においては、特に、半押し時の後ろダイヤルの設定は重要であり、通常は露出補正、絞り、シャッタスピードなどを定義すると良い。
【００４２】
ユーザは、図５（ａ）に示すメニュー画面を見ながら、変更指示部５の十字ボタンを操作することによって、第１操作部３およびレリーズ機構４の第２操作部４ａそれぞれに所望の撮影機能を割り当てる。この際、パラメータ制御部９ａは、メニュー画面に応じた撮影機能を第１操作部３およびレリーズ機構４の第２操作部４ａに割り当てる。具体的には、図５（ａ）に示すＰモードの場合、パラメータ制御部９ａは、第１操作部３にＡ状態では、第１操作部３にレリーズスイッチ４ｂの半押し時の撮影機能として露出補正と、通常時の撮影機能としてＰシフトとを割り当てる。Ｂ状態では、第１操作部３にレリーズスイッチ４ｂの半押し時の撮影機能として露出補正と、通常時の撮影機能としてＷＢとを割り当てる。これにより、ユーザは、所望の撮影機能を第１操作部３および第２操作部４ａに割り当てることができる。
【００４３】
図５（ｅ）〜図５（ｈ）は、Ａ状態を半押し時の状態として定義し、ユーザーインターフェースの簡単化と、カメラの記憶容量を低減するという効果の得られる実施例である。
このように構成することで、ユーザにとって理解しやすく、さらに低コストで実現できる。
【００４４】
続いて、撮像装置１は、第１操作部３および第２操作部４ａの操作に応じて、パラメータ制御部９ａが第１操作部３および第２操作部４ａそれぞれに割り当てられた撮影機能の撮影パラメータの設定を変更する撮影パラメータ設定変更受付処理を実行する（ステップＳ１０６）。たとえば、図６に示すように、ユーザが第２操作部４ａを操作して第２操作部４ａに割り当てられた撮影機能の撮影パラメータを変更する。なお、撮影パラメータ設定変更受付処理の詳細は、後述する。
【００４５】
その後、ユーザによってレリーズスイッチ４ｂが半押しされた場合（ステップＳ１０７：Ｙｅｓ）、撮影制御部９ｂは、ＡＥ処理およびＡＦ処理をそれぞれ実行する（ステップＳ１０８）。この際、撮影制御部９ｂは、ＡＥ処理による測光値およびＡＦ処理による焦点位置を固定する。
【００４６】
続いて、撮像装置１は、撮影パラメータ設定変更受付処理を実行する（ステップＳ１０９）。なお、撮影パラメータ設定変更受付処理の詳細は、後述する。
【００４７】
その後、ユーザによってレリーズスイッチ４ｂが全押しされた場合（ステップＳ１１０：Ｙｅｓ）、撮影制御部９ｂは、パラメータ制御部９ａが設定した設定撮影パラメータに応じて撮影を行う（ステップＳ１１１）。
【００４８】
続いて、電源スイッチ（図示せず）が操作され、撮像装置１の電源がオフになることによって終了する場合（ステップＳ１１２：Ｙｅｓ）、撮像装置１は、本処理を終了する。これに対して、電源スイッチ（図示せず）が操作されず、終了しない場合（ステップＳ１１２：Ｎｏ）、撮像装置１は、ステップＳ１０１へ戻る。
【００４９】
ステップＳ１０７において、ユーザによってレリーズスイッチ４ｂが半押しされてない場合（ステップＳ１０７：Ｎｏ）、撮像装置１は、ステップＳ１０１へ戻る。
【００５０】
ステップＳ１１０において、ユーザによってレリーズスイッチ４ｂが全押しされていない場合（ステップＳ１１０：Ｎｏ）、撮像装置１は、ステップＳ１０１へ戻る。
【００５１】
ステップＳ１０１において、撮像装置１が撮影モードに設定されていない場合（ステップＳ１０１：Ｎｏ）において、撮像装置１が再生モードに設定されているとき（ステップＳ１１３：Ｙｅｓ）、表示制御部９ｃは、記録媒体８に記録された画像データに対応する画像を表示部６に表示させる再生表示処理を実行する（ステップＳ１１４）。ステップＳ１１４の後、撮像装置１は、ステップＳ１１２へ移行する。
【００５２】
ステップＳ１０１において、撮像装置１が撮影モードに設定されていない場合（ステップＳ１０１：Ｎｏ）において、撮像装置１が再生モードに設定されていないとき（ステップＳ１１３：Ｎｏ）、撮像装置１は、ステップＳ１１２へ移行する。
【００５３】
次に、図３のステップＳ１０６およびステップＳ１０９の撮影パラメータ設定変更受付処理について説明する。図７は、撮影パラメータ設定変更受付処理の概要を示すフローチャートである。
【００５４】
図７に示すように、ユーザによってレリーズスイッチ４ｂが半押し中である場合（ステップＳ２０１：Ｙｅｓ）において、第１操作部３が操作されたとき（ステップＳ２０２：Ｙｅｓ）、パラメータ制御部９ａは、ユーザによる第１操作部３の操作に応じて、露出補正を変更する（ステップＳ２０３）。
【００５５】
図８は、ユーザがレリーズスイッチ４ｂを半押しした状態で第１操作部３を操作する状況を模式的に示す図である。図９は、ユーザがレリーズスイッチ４ｂを半押しした状態で第１操作部３を操作した際に表示部６が表示するライブビュー画像の一例を示す図である。
【００５６】
図８に示すように、ユーザは、左手で撮像装置１を支えながら、右手の人差し指でレリーズスイッチ４ｂを半押しし、被写体に対する焦点位置や露出を決めた状態（たとえば図４のライブビュー画像ＬＶ1を参照）であっても、画像の絵作りの仕上がり結果を予測して被写体の撮影条件に即応した撮影パラメータを有する撮影機能に変更したい場合がある。しかしながら、図８に示すように、ユーザは、左手で撮像装置１を支えながら、右手の人差し指でレリーズスイッチ４ｂを半押ししているため、たとえば、第１操作部３に画像の絵作りの仕上がりで優先度の高い撮影パラメータを変更可能な撮影機能が割り当てられていない場合において、被写体の撮影条件が変化したとき、または所望の絵作りができないと判断したとき、被写体の撮影条件の変化または所望の絵作りに即応した撮影パラメータを有する撮影機能に容易に変更することができない。この場合、ユーザは、レリーズスイッチ４ｂから人差し指を離して、再度、第１操作部３の撮影機能の割り当てをやり直ししたり、第２操作部４ａを操作したりしなければならず、被写体のシャッタチャンスを逃してしまったり、第１操作部３および第２操作部４ａそれぞれの撮影機能の割り当ての変更時に誤操作をしてしまうおそれがある。
【００５７】
そこで、本実施の形態１では、パラメータ制御部９ａは、レリーズスイッチ４ｂが半押しされた場合、第１操作部３の撮影機能を切り換える。これにより、図８に示すように、右手の人差し指でレリーズスイッチ４ｂを半押しし、被写体に対するピント位置や測光値を決めた状態（固定した状態）で、被写体の撮影条件が変化したり、所望の仕上がり結果にしたいと判断したりした場合であっても、第１操作部３を親指のみで操作することができるので、被写体の撮影条件の変化や所望の仕上がりに即応した撮影パラメータを有する撮影機能に変更することができる。さらに、図８に示すように、ユーザは、人差し指でレリーズスイッチ４ｂを半押しした状態の撮影姿勢で構えているので、シャッタチャンスを逃すことなく、所望の仕上がり結果を反映させられる撮影パラメータで被写体を確実に撮影することができる。
【００５８】
また、図９のライブビュー画像ＬＶ2に示すように、パラメータ制御部９ａは、第１操作部３の操作に応じて、撮像部２の露出補正を変更する。この際、表示制御部９ｃは、第１操作部３および第２操作部４ａに割り当てられた撮影機能に関する情報をライブビュー画像ＬＶ2に重畳して表示部６に表示させる。具体的には、表示制御部９ｃは、第１操作部３を示すアイコンＡ2の上部に撮影機能としての露出補正を示すアイコンＡ13を、第２操作部４ａを示すアイコンＡ1の下部に撮影機能としてのＰシフトを示すアイコンＡ14をライブビュー画像ＬＶ2に重畳して表示部６に表示させる。これにより、ユーザは、表示部６が表示するライブビュー画像ＬＶ2を見ながら所望の仕上がりに反映させることができる。さらに、ユーザは、表示部６が表示するアイコンＡ13およびアイコンＡ14を確認することで、第１操作部３および第２操作部４ａそれぞれの撮影機能が切り換えられたことを直感的に把握することができる。
【００５９】
ステップＳ２０３の後、ユーザによって第２操作部４ａが操作された場合（ステップＳ２０４：Ｙｅｓ）、パラメータ制御部９ａは、第２操作部４ａの操作に応じて、撮像部２の露出制御値のＰシフトを変更する（ステップＳ２０５）。ここで、Ｐシフトとは、被写体の明るさに応じてシャッタ速度および絞り値との関係を変更することである（プログラム線図の値を変更）。ステップＳ２０５の後、撮像装置１は、図３のメインルーチンへ戻る。
【００６０】
ステップＳ２０２において、ユーザによって第１操作部３が操作されていない場合（ステップＳ２０２：Ｎｏ）、撮像装置１は、ステップＳ２０４へ移行する。
【００６１】
ステップＳ２０４において、ユーザによって第２操作部４ａが操作されていない場合（ステップＳ２０４：Ｎｏ）、撮像装置１は、図３のメインルーチンへ戻る。
【００６２】
ステップＳ２０１において、ユーザによってレリーズスイッチ４ｂが半押し中でない場合（ステップＳ２０１：Ｎｏ）において、第１操作部３が操作されたとき（ステップＳ２０６：Ｙｅｓ）、パラメータ制御部９ａは、ユーザによる第１操作部３の操作に応じて、撮像部２のＩＳＯ感度を変更する（ステップＳ２０７）。
【００６３】
続いて、ユーザによって第２操作部４ａが操作された場合（ステップＳ２０８：Ｙｅｓ）、パラメータ制御部９ａは、第２操作部４ａの操作に応じて、撮像部２のホワイトバランスを変更する（ステップＳ２０９）。
【００６４】
ステップＳ２０６において、ユーザによって第１操作部３が操作されていない場合（ステップＳ２０６：Ｎｏ）、撮像装置１は、ステップＳ２０８へ移行する。
【００６５】
ステップＳ２０８において、ユーザによって第２操作部４ａが操作されていない場合（ステップＳ２０８：Ｎｏ）、撮像装置１は、図３のメインルーチンへ戻る。
【００６６】
以上説明した本発明の実施の形態１によれば、パラメータ制御部９ａがレリーズスイッチ４ｂから１ｓｔが入力された場合、第１操作部３に割り当てられた撮影機能を切り換える。これにより、撮影時に被写体の撮影条件の変化に即応した絵作りができる。
【００６７】
また、本発明の実施の形態１によれば、撮像装置１が被写体に対して焦点位置および測光値を固定した後に、パラメータ制御部９ａが第１操作部３の撮影機能を切り換えるので、被写体の構図を決定した状態からさらに画像の絵作りの作り込みを行ったものを撮影することができる。
【００６８】
また、本発明の実施の形態１によれば、レリーズスイッチ４ｂが第２操作部４ａの軸Ｐ１上に設けられているので、レリーズスイッチ４ｂを半押ししながら、第１操作部３で絵作りの仕上がり結果に最も反映される撮影パラメータを有する撮影機能に容易に変更することができる。
【００６９】
また、本発明の実施の形態１によれば、パラメータ制御部９ａが第１操作部３および第２操作部４ａそれぞれに互い異なる撮影機能を割り当てるとともに、レリーズスイッチ４ｄからの１ｓｔ信号に応じて撮影機能を切り換える。この結果、操作部材の数を増やすことなく、仮想的に操作部の数が増加するので、操作性を維持した状態で小型化を行うことができる。
【００７０】
（実施の形態２）
次に、本発明の実施の形態２について説明する。本実施の形態２に係る撮像装置は、上述した実施の形態１に係る撮像装置１の構成が異なるとともに、撮像装置１が実行する撮影パラメータ設定変更受付処理が異なる。このため、以下においては、本実施の形態２に係る撮像装置の構成を説明後、撮像装置が実行する撮影パラメータ設定変更受付処理について説明する。なお、上述した実施の形態１に係る撮像装置１と同様の構成には同一の符号を付して説明を省略する。
【００７１】
図１０は、本発明の実施の形態２に係る撮像装置の被写体に面する側（前面側）の構成を示す斜視図である。図１１は、本発明の実施の形態２に係る撮像装置の撮影者に面する側（背面側）の構成を示す斜視図である。図１２は、本発明の実施の形態２に係る撮像装置の上面の構成を示す正面図である。図１３は、本発明の実施の形態２に係る撮像装置の機能構成を示すブロック図である。
【００７２】
図１０〜図１３に示す撮像装置１０は、本体部２０と、本体部２０に設けられたマウントリング（図示せず）を介して着脱自在であり、被写体像を結像する光学ズーム可能なレンズ部３０と、を備える。
【００７３】
まず、本体部２０について説明する。本体部２０は、シャッタ２０１と、シャッタ駆動部２０２と、撮像素子２０３と、撮像素子駆動部２０４と、信号処理部２０５と、Ａ／Ｄ変換部２０６と、画像処理部２０７と、ＡＥ処理部２０８と、ＡＦ処理部２０９と、画像圧縮展開部２１０と、入力部２１１と、アクセサリ通信部２１２と、接眼表示部２１３と、アイセンサ２１４と、可動部２１５と、背面表示部２１６と、タッチパネル２１７と、回動判定部２１８と、状態検出部２１９と、時計２２０と、記録媒体２２１と、メモリＩ／Ｆ２２２と、ＳＤＲＡＭ２２３と、Ｆｌａｓｈメモリ２２４と、本体通信部２２５と、バス２２６と、本体制御部２２７と、を備える。
【００７４】
シャッタ２０１は、撮像素子２０３の状態を露光状態または遮光状態に設定する。シャッタ２０１は、フォーカルプレーンシャッタ等の機械式のシャッタを用いて構成される。
【００７５】
シャッタ駆動部２０２は、本体制御部２２７から入力される指示信号に応じてシャッタ２０１を駆動する。シャッタ駆動部２０２は、ステッピングモータやＤＣモータ等を用いて構成される。
【００７６】
撮像素子２０３は、レンズ部３０が集光した光を受光して光電変換を行うことによって電気信号を出力する複数の画素が２次元的に配列されたＣＭＯＳ（Complementary  Metal  Oxide  Semiconductor）等を用いて構成される。撮像素子２０３は、本体制御部２２７の制御のもと、所定のフレームレート、たとえば３０ｆｐｓで連続的に画像データを生成して信号処理部２０５へ出力する。また、撮像素子２０３は、撮像装置１０が位相差検出方式によって被写体までの距離を検出する測距処理および、レンズ部３０の焦点を調整する像面位相差ＡＦ処理を行う際に用いられる焦点信号（以下「焦点データ」という）を生成するＡＦ画素２０３ａ（焦点検出用画素）と、撮像面に被写体像を受光して電気信号（以下、「画像データ」という）を生成する撮像画素２０３ｂと、を有する。
【００７７】
ＡＦ画素２０３ａは、フォトダイオードや増幅回路等を用いて構成され、撮像素子２０３の撮像面に所定の間隔および所定の領域内に設けられる。たとえば、ＡＦ画素２０３ａは、撮像素子２０３の受光面におけるＡＦ領域または中央領域に所定の間隔で設けられる。
【００７８】
撮像画素２０３ｂは、フォトダイオード（photodiode）や増幅回路等を用いて構成される。撮像画素２０３ｂは、レンズ部３０から入射された被写体像を受光して光電変換を行うことによって画像データを生成する。
【００７９】
撮像素子駆動部２０４は、所定のタイミングで撮像素子２０３から画像データ（アナログ信号）および焦点データ（アナログ信号）を信号処理部２０５へ出力させる。この意味で、撮像素子駆動部２０４は、電子シャッタとして機能する。
【００８０】
信号処理部２０５は、撮像素子２０３から入力される画像データおよび焦点データに対して、アナログ処理を施してＡ／Ｄ変換部２０６へ出力する。たとえば、信号処理部２０５は、画像データに対して、リセットノイズ等を低減した上で波形整形後、目的の明るさとなるようにゲインアップを行う。
【００８１】
Ａ／Ｄ変換部２０６は、信号処理部２０５から入力されるアナログの画像データおよび焦点データに対してＡ／Ｄ変換を行うことによってデジタルの画像データ（ＲＡＷデータ）および焦点データを生成し、バス２２６を介してＳＤＲＡＭ２２３へ出力する。なお、本実施の形態２では、撮像素子２０３、信号処理部２０５およびＡ／Ｄ変換部２０６が撮像部として機能する。
【００８２】
画像処理部２０７は、基本画像処理部２０７ａと、特殊効果処理部２０７ｂと、を有する。
【００８３】
基本画像処理部２０７ａは、バス２２６を介してＳＤＲＡＭ２２３から画像データ（ＲＡＷデータ）を取得し、取得した画像データに対して各種の画像処理を行う。具体的には、画像処理部２０７は、オプティカルブラック減算処理、ホワイトバランス（ＷＢ）調整処理、カラーマトリクス演算処理、ガンマ補正処理、色再現処理およびエッジ強調処理等を含む基本の画像処理を行う。たとえば、基本画像処理部２０７ａは、予め設定された各画像処理のパラメータに基づいて、画像処理を行う。ここで、各画像処理のパラメータとは、コントラスト、シャープネス、彩度、ホワイトバランスおよび階調の値である。なお、基本画像処理部２０７ａは、撮像素子２０３がベイヤー配列の場合には画像データの同時化処理を行う。基本画像処理部２０７ａは、バス２２６を介して処理画像データをＳＤＲＡＭ２２３または背面表示部２１６へ出力する。
【００８４】
特殊効果処理部２０７ｂは、１つの画像データに対して複数の画像処理を組み合わせることにより、視覚的な効果を生じさせる特殊効果処理を行って処理画像データを生成する。特殊効果処理で組み合わされる画像処理は、たとえば、ぼかし処理、シェーディング追加処理、ノイズ重畳処理、彩度変更処理およびコントラスト強調処理のいずれか１つ以上である。
【００８５】
ＡＥ処理部２０８は、バス２２６を介してＳＤＲＡＭ２２３に記録された画像データを取得し、取得した画像データに基づいて、撮像装置１０が静止画撮影または動画撮影を行う際の露出条件を設定する。具体的には、ＡＥ処理部２０８は、画像データから輝度を算出し、算出した輝度に基づいて、たとえば絞り値、シャッタ速度、ＩＳＯ感度等を決定することで撮像装置１の自動露出を行う。
【００８６】
ＡＦ処理部２０９は、バス２２６を介してＳＤＲＡＭ２２３に記録された焦点データを取得し、取得した焦点データに基づいて、撮像装置１０の自動焦点の調整を行う。たとえば、ＡＦ処理部２０９は、焦点データに基づいて、被写体までの測距演算処理を行うことによってレンズ部３０のデフォーカス量を算出し、この算出結果に従って撮像装置１０の自動焦点の調整を行う位相差ＡＦ処理（像面位相差ＡＦ方式）を行う。なお、ＡＦ処理部２０９は、画像データから高周波成分の信号を取り出し、高周波成分の信号に対してＡＦ（Auto  Focus）演算処理（コントラストＡＦ方式）を行うことによって、撮像装置１０の合焦評価を決定することで撮像装置１の自動焦点の調整を行ってもよい。さらに、ＡＦ処理部２０９は、瞳分割位相差法を用いて撮像装置１０の自動焦点の調整を行ってもよい。
【００８７】
画像圧縮展開部２１０は、バス２２６を介してＳＤＲＡＭ２２３から画像データや処理画像データを取得し、取得した画像データに対して所定の形式に従って圧縮し、この圧縮した画像データをメモリＩ／Ｆ２２２を介して記録媒体２２１へ出力する。ここで、所定の形式としては、ＪＰＥＧ（Joint  Photographic  Experts  Group）方式、ＭｏｔｉｏｎＪＰＥＧ方式およびＭＰ４（Ｈ．２６４）方式等である。また、画像圧縮展開部２１０は、バス２２６およびメモリＩ／Ｆ２２２を介して記録媒体２２１に記録された画像データ（圧縮画像データ）を取得し、取得した画像データを展開（伸長）してＳＤＲＡＭ２２３へ出力する。
【００８８】
入力部２１１は、電源スイッチ２１１ａと、第１操作部２１１ｂと、レリーズ機構２１１ｃと、モード切換スイッチ２１１ｄと、Ｆｎレバー切換スイッチ２１１ｅと、動画スイッチ２１１ｆと、再生スイッチ２１１ｇと、メニュースイッチ２１１ｈと、メニュー操作スイッチ２１１ｉと、を有する。
【００８９】
電源スイッチ２１１ａは、撮像装置１０の電源状態をオン状態またはオフ状態に切り換える。
第１操作部２１１ｂは、予め割り当てられた撮影機能の撮影パラメータを変更する指示信号の入力を受け付ける。第１操作部２１１ｂは、撮像装置１０の上面の撮影者側に設けられる。第１操作部２１１ｂは、所定の軸を中心に回転可能に設けられる。第１操作部２１１ｂは、ダイヤル式の操作部材を用いて構成される。ここで、撮影機能としては、ＩＳＯ感度、ホワイトバランス、特殊効果処理部２０７ｄの画像処理の組み合わせ（種類）、ＡＦ方式、ＡＦ領域およびストロボの撮影パラメータを変更可能なものである。また、第１操作部２１１ｂは、撮像装置１０の上面の撮影者側に設けられる。
【００９０】
レリーズ機構２１１ｃは、第２操作部２１１１と、レリーズスイッチ２１１２と、を有する。レリーズ機構２１１ｃは、撮像装置１０（本体部２０）の上面の被写体側に設けられる。
第２操作部２１１１は、予め割り当てられた撮影機能の撮影パラメータを変更する指示信号の入力を受け付ける。第２操作部２１１１は、撮像装置１０の被写体側の上面に設けられる。第２操作部２１１１は、所定の軸Ｐ１を中心に回転可能に設けられる。第２操作部２１１１は、ダイヤル式の回転部材を用いて構成される。
レリーズスイッチ２１１２は、外部からの押圧により突没可能であり、半押しされた場合に撮影準備動作を指示する１ｓｔの入力を受け付ける一方、全押しされた場合に撮影を指示する２ｎｄの入力を受け付ける。レリーズスイッチ２１１２は、第２操作部２１１１の軸Ｐ１上に設けられ、第２操作部２１１１と一体的に設けられる。
【００９１】
モード切換スイッチ２１１ｄは、撮像装置１０に設定可能な撮影モードの切換を指示する指示信号の入力を受け付ける。具体的には、モード切換スイッチ２１１ｄは、撮影モードをプログラムモード（Ｐモード）、マニュアルモード（Ｍモード）、絞り優先モード（Ａモード）、シャッタ優先モード（Ｓモード）、特殊効果処理モード（Ａｒｔモード）および動画モードのいずれかを指示する指示信号の入力を受け付ける。モード切換スイッチ２１１ｄは、所定の軸を中心に回転可能なダイヤル式の操作部材を用いて構成される。
【００９２】
Ｆｎレバー切換スイッチ２１１ｅは、第１操作部２１１ｂおよび第２操作部２１１１それぞれに割り当てられた撮影機能を切り換える指示信号の入力を受け付ける。Ｆｎレバー切換スイッチ２１１ｅは、位置Ａまたは位置Ｂに移動可能なレバーＲ１を有する（図１１を参照）。Ｆｎレバー切換スイッチ２１１ｅは、レバーＲ１を位置Ａから位置Ｂに切り換えられることによって、第１操作部２１１ｂおよび第２操作部２１１１それぞれに割り当てられた撮影機能を切り換える指示信号の入力を受け付ける。具体的には、Ｆｎレバー切換スイッチ２１１ｅは、複数の操作部材の各々に異なる撮影機能を設定する第１モード（位置Ａ）と、複数の操作部材の各々に第１モードと異なり、少なくとも画像データに対応する画像の仕上がり結果で優先度の高い撮影パラメータを変更可能な撮影機能を設定する第２モード（位置Ｂ）との間で切り換える。たとえば、第１モードとして、少なくとも第１操作部２１１ｂにホワイトバランスの撮影機能および第２操作部２１１１にＩＳＯ感度の撮影機能を設定する一方、第２モードとして、第１操作部２１１ｂに露出補正の撮影機能および第２操作部２１１１にＰシフトの撮影機能を設定する。なお、本実施の形態２では、Ｆｎレバー切換スイッチ２１１ｅが切換設定部として機能する。
【００９３】
動画スイッチ２１１ｆは、撮像装置１０に動画撮影を指示する指示信号の入力を受け付ける。
再生スイッチ２１１ｇは、記録媒体２２１に記録された画像データを背面表示部２１６または接眼表示部２１３に表示させて再生する指示信号の入力を受け付ける。
【００９４】
メニュースイッチ２１１ｈは、撮像装置１０の各種設定を背面表示部２１６または接眼表示部２１３に表示させる指示信号の入力を受け付ける。
メニュー操作スイッチ２１１ｉは、撮像装置１０の各種設定を切り換える指示信号の入力を受け付ける。
【００９５】
このように構成された入力部２１１に対して、ＡＦ方式（ドライブモード）を設定するドライブスイッチ、ブラケット撮影を指示するブラケットスイッチ、ホワイトバランスを変更するホワイトバランススイッチ等を設けてもよい。
【００９６】
アクセサリ通信部２１２は、本体部２０に装着される外部機器との通信を行うための通信インターフェースである。
【００９７】
接眼表示部２１３は、本体制御部２２７の制御のもと、バス２２６を介してＳＤＲＡＭ２２３に記録された画像データに対応するライブビュー画像または再生画像を表示する。この意味で、接眼表示部２１３は、電子ビューファインダ（ＥＶＦ）として機能する。接眼表示部２１３は、液晶または有機ＥＬからなる表示パネルおよび駆動ドライバ等を用いて構成される。
【００９８】
アイセンサ２１４は、接眼表示部２１３に対するユーザ（物体）の接近を検出し、この検出結果を本体制御部２２７へ出力する。具体的には、アイセンサ２１４は、ユーザが接眼表示部２１３で画像を確認しているか否かを検出する。アイセンサ２１４は、接触センサや赤外線センサ等を用いて構成される。
【００９９】
可動部２１５は、背面表示部２１６およびタッチパネル２１７が設けられ、ヒンジ２１５ａを介して可動可能に本体部２０に設けられる。たとえば、可動部２１５は、本体部２０の鉛直方向に対して背面表示部２１６が上向き、または下向きに変更可能に本体部２０に設けられる。
【０１００】
背面表示部２１６は、本体制御部２２７の制御のもと、バス２２６を介してＳＤＲＡＭ２２３に記録された画像データまたは記録媒体２２１に記録された画像データを取得し、取得した画像データに対応する画像を表示する。また、背面表示部２１６は、撮像装置１０の操作情報および撮影に関する情報を適宜表示する。
【０１０１】
タッチパネル２１７は、背面表示部２１６の表示画面上に重畳して設けられる。タッチパネル２１７は、外部からの物体のタッチを検出し、この検出したタッチ位置に応じた位置信号を本体制御部２２７へ出力する。また、タッチパネル２１７は、ユーザが背面表示部２１６で表示される情報、たとえばアイコン画像やサムネイル画像に基づいてタッチした位置を検出し、この検出したタッチ位置に応じて撮像装置１０が行う動作を指示する指示信号や画像を選択する選択信号の入力を受け付けてもよい。一般に、タッチパネル２１７としては、抵抗膜方式、静電容量方式および光学方式等がある。本実施の形態２では、いずれの方式のタッチパネルであっても適用可能である。さらに、可動部２１５、背面表示部２１６およびタッチパネル２１７は、一体的に形成してもよい。
【０１０２】
回動判定部２１８は、可動部２１５の回動状況を判定し、この検出結果を本体制御部２２７へ出力する。たとえば、回動判定部２１８は、本体部２０に対して可動部２１５が可動しているか否かを判定し、この判定結果を本体制御部２２７へ出力する。
【０１０３】
状態検出部２１９は、加速度センサおよびジャイロセンサを用いて構成され、撮像装置１０に生じる加速度および角速度をそれぞれ検出し、この検出結果を本体制御部２２７へ出力する。
【０１０４】
時計２２０は、計時機能および撮影日時の判定機能を有する。時計２２０は、撮像素子２０３によって撮像された画像データに日時データを付加するため、日時データを本体制御部２２７へ出力する。
【０１０５】
記録媒体２２１は、撮像装置１０の外部から装着されるメモリカード等を用いて構成される。記録媒体２２１は、メモリＩ／Ｆ２２２を介して撮像装置１０に着脱自在に装着される。記録媒体２２１には、画像処理部２０７や画像圧縮展開部２１０が処理を施した画像データが書き込まれる。また、記録媒体２２１は、本体制御部２２７によって記録された画像データが読み出される。
【０１０６】
ＳＤＲＡＭ２２３は、バス２２６を介してＡ／Ｄ変換部２０６から入力される画像データ、画像処理部２０７から入力される画像データおよび撮像装置１０の処理中の情報を一時的に記録する。たとえば、ＳＤＲＡＭ２２３は、信号処理部２０５、Ａ／Ｄ変換部２０６およびバス２２６を介して撮像素子２０３が１フレーム毎に順次出力する画像データを一時的に記録する。ＳＤＲＡＭ２２３は、揮発メモリを用いて構成される。
【０１０７】
Ｆｌａｓｈメモリ２２４は、不揮発性メモリを用いて構成される。Ｆｌａｓｈメモリ２２４は、プログラム記録部２２４ａと、優先度情報記録部２２４ｂと、設定情報記録部２２４ｃと、を有する。
【０１０８】
プログラム記録部２２４ａは、撮像装置１０を動作させるための各種プログラムや本実施の形態２に係るプログラムおよびプログラムの実行中に使用される各種データ、画像処理部２０７による画像処理の動作に必要な各画像処理のパラメータおよび特殊効果処理の画像処理の組み合わせ等を記録する。
【０１０９】
優先度情報記録部２２４ｂは、ユーザが撮像装置１０で生成される画像データに対応する画像の絵作りの仕上がりで最も反映させた優先度の高い撮影パラメータを変更可能な撮影機能を記録する。具体的には、優先度情報記録部２２４ｂは、絵作りの仕上がり結果で優先度の高い撮影パラメータとしては、露出補正、シャッタスピード、絞り値、シャープネス、コントラストおよび彩度である。ユーザの入力部２１１の操作によって予め撮影パラメータを選択して優先度情報記録部２２４ｂに記録（登録）される。
【０１１０】
設定情報記録部２２４ｃは、複数の撮影モードそれぞれに対して、第１操作部２１１ｂおよび第２操作部２１１１それぞれに割り当てられた撮影機能、およびユーザの設定に応じて第１操作部２１１ｂおよび第２操作部２１１１それぞれに割り当てられた撮影機能を記録する。
【０１１１】
本体通信部２２５は、本体部２０に装着されるレンズ部３０との通信を行うための通信インターフェースである。
【０１１２】
バス２２６は、撮像装置１０の各構成部位を接続する伝送路等を用いて構成される。バス２２６は、撮像装置１０の内部で発生した各種データを撮像装置１０の各構成部に転送する。
【０１１３】
本体制御部２２７は、ＣＰＵ等を用いて構成される。本体制御部２２７は、入力部２１１からの指示信号またはタッチパネル２１７からの位置信号に応じて撮像装置１０を構成する各部に対応する指示やデータの転送等を行って撮像装置１０の動作を統括的に制御する。
【０１１４】
本体制御部２２７の詳細な構成について説明する。本体制御部２２７は、パラメータ制御部２２７ａと、撮影制御部２２７ｂと、表示制御部２２７ｃと、を有する。
【０１１５】
パラメータ制御部２２７ａは、第１操作部２１１ｂまたは第２操作部２１１１から入力される指示信号に応じて撮像装置１０の撮影パラメータを設定する。具体的には、パラメータ制御部２２７ａは、第１操作部２１１ｂからＩＳＯ感度を変更する指示信号が入力された場合、撮像素子２０３のＩＳＯ感度を変更する。
【０１１６】
また、パラメータ制御部２２７ａは、メニュー操作スイッチ２１１ｉから第１操作部２１１ｂおよび第２操作部２１１１それぞれの撮影機能を設定する設定信号が入力された場合、設定情報記録部２２４ｃに記録された設定情報を参照して、第１操作部２１１ｂおよび第２操作部２１１１に割り当てられた撮影機能を、メニュー操作スイッチ２１１ｉからの設定信号に応じた撮影機能に切り換える。
【０１１７】
また、パラメータ制御部２２７ａは、レリーズスイッチ２１１２から１ｓｔが入力された場合、第１操作部２１１ｂに割り当てられた撮影機能を切り換える。具体的には、パラメータ制御部２２７ａは、絵作りの仕上がり結果で優先度の高い撮影機能に切り換える。さらにまた、パラメータ制御部２２７ａは、Ｆｎレバー切換スイッチ２１１ｅによって第１操作部２１１ｂおよび第２操作部２１１１に第１モードの撮影機能が設定されている場合において、レリーズスイッチ２１１２から１ｓｔが入力された場合、第１操作部２１１ｂおよび第２操作部２１１１それぞれの撮影機能を第２モードの撮影機能に切り換える。
【０１１８】
撮影制御部２２７ｂは、レリーズスイッチ２１１２から２ｎｄが入力された場合、パラメータ制御部２２７ａが撮像装置１０に設定した撮影パラメータで撮像装置１０における撮影動作を開始する制御を行う。ここで、撮像装置１０における撮影動作とは、シャッタ駆動部２０２の駆動によって撮像素子２０３が出力した画像データに対し、信号処理部２０５、Ａ／Ｄ変換部２０６および画像処理部２０７が所定の処理を施す動作をいう。このように処理が施された画像データは、撮影制御部２２７ｂの制御のもと、画像圧縮展開部２１０で圧縮され、バス２２６およびメモリＩ／Ｆ２２２を介して記録媒体２２１に記録される。
【０１１９】
表示制御部２２７ｃは、画像データに対応する画像を背面表示部２１６および／または接眼表示部２１３に表示させる。具体的には、表示制御部２２７ｃは、接眼表示部２１３の電源がオン状態である場合、画像データに対応するライブビュー画像を接眼表示部２１３に表示させる一方、接眼表示部２１３の電源がオフ状態である場合、画像データに対応するライブビュー画像を背面表示部２１６に表示させる。また、表示制御部２２７ｃは、第１操作部２１１ｂおよび第２操作部２１１１に割り当てられた撮影機能に関する情報をライブビュー画像に重畳して背面表示部２１６および／または接眼表示部２１３に表示させる。
【０１２０】
以上の構成を有する本体部２０に対して、音声入出力機能、フラッシュ機能および外部と双方向に通信可能な通信機能等を具備させてもよい。
【０１２１】
次に、レンズ部３０について説明する。レンズ部３０は、ズームレンズ３０１と、ズーム駆動部３０２と、ズーム位置検出部３０３と、絞り３０４と、絞り駆動部３０５と、絞り値検出部３０６と、フォーカスレンズ３０７と、フォーカス駆動部３０８と、フォーカス位置検出部３０９と、レンズ操作部３１０と、レンズＦｌａｓｈメモリ３１１と、レンズ通信部３１２と、レンズ制御部３１３と、を備える。
【０１２２】
ズームレンズ３０１は、一または複数のレンズを用いて構成される。ズームレンズ３０１は、レンズ部３０の光軸Ｏ上に沿って移動することにより、撮像装置１０の光学ズームの倍率を変更する。たとえば、ズームレンズ３０１は、焦点距離が１２ｍｍ〜４０ｍｍの間で焦点距離を変更することができる。
【０１２３】
ズーム駆動部３０２は、ＤＣモータまたはステッピングモータ等を用いて構成され、レンズ制御部３１３の制御のもと、ズームレンズ３０１を光軸Ｏ上に沿って移動させることにより、撮像装置１０の光学ズームの変更を行う。
【０１２４】
ズーム位置検出部３０３は、フォトインタラプタ等を用いて構成され、光軸Ｏ上におけるズームレンズ３０１の位置を検出し、この検出結果をレンズ制御部３１３へ出力する。
【０１２５】
絞り３０４は、ズームレンズ３０１が集光した光の入射量を制限することにより露出の調整を行う。
【０１２６】
絞り駆動部３０５は、ステッピングモータ等を用いて構成され、レンズ制御部３１３の制御のもと、絞り３０４を駆動することにより、撮像装置１０の絞り値（Ｆ値）を変更する。
【０１２７】
絞り値検出部３０６は、フォトインタラプタやエンコーダ等を用いて構成され、絞り３０４の現在の状況から絞り値を検出し、この検出結果をレンズ制御部３１３へ出力する。
【０１２８】
フォーカスレンズ３０７は、一または複数のレンズを用いて構成される。フォーカスレンズ３０７は、レンズ部３０の光軸Ｏ上に沿って移動することにより、撮像装置１０の焦点位置を変更する。
【０１２９】
フォーカス駆動部３０８は、ＤＣモータやステッピングモータ等を用いて構成され、レンズ制御部３１３の制御のもと、フォーカスレンズ３０７を光軸Ｏに沿って移動させることにより、撮像装置１０の焦点位置を調整する。
【０１３０】
フォーカス位置検出部３０９は、フォトインタラプタ等を用いて構成され、光軸Ｏ上におけるフォーカスレンズ３０７の位置を検出し、この検出結果をレンズ制御部３１３へ出力する。
【０１３１】
レンズ操作部３１０は、図１０に示すように、レンズ部３０のレンズ鏡筒の周囲に設けられるリングであり、レンズ部３０における光学ズームの変更を指示する指示信号の入力またはレンズ部３０におけるピント位置の調整を指示する指示信号の入力を受け付ける。なお、レンズ操作部３１０は、プッシュ式のスイッチやレバー式のスイッチ等であってもよい。
【０１３２】
レンズＦｌａｓｈメモリ３１１は、ズームレンズ３０１、絞り３０４およびフォーカスレンズ３０７の位置および動きをそれぞれ決定するための制御プログラム、レンズ部３０のレンズ特性および各種パラメータを記録する。ここで、レンズ特性とは、レンズ部３０の色収差、画角情報、明るさ情報および焦点距離情報（たとえば１２ｍｍ〜４０ｍｍ）である。
【０１３３】
レンズ通信部３１２は、レンズ部３０が本体部２０に装着された際に、本体部２０の本体通信部２２５と通信を行うための通信インターフェースである。
【０１３４】
レンズ制御部３１３は、ＣＰＵ等を用いて構成される。レンズ制御部３１３は、レンズ操作部３１０からの指示信号または本体部２０からの指示信号に応じてレンズ部３０の動作を制御する。具体的には、レンズ制御部３１３は、レンズ操作部３１０からの指示信号に応じて、フォーカス駆動部３０８を駆動させてフォーカスレンズ３０７によるピント調整やズーム駆動部３０２を駆動させてズームレンズ３０１の光学ズームのズーム倍率の変更を行う。なお、レンズ制御部３１３は、レンズ部３０が本体部２０に装着された際に、レンズ部３０のレンズ特性およびレンズ部３０を識別する識別情報を本体部２０に送信してもよい。
【０１３５】
以上の構成を有する撮像装置１０が実行する撮影パラメータ設定変更受付処理について説明する。図１４は、撮像装置１０が実行する撮影パラメータ設定変更受付処理の概要を示すフローチャートである。
【０１３６】
図１４に示すように、まず、撮像装置１０の撮影モードがプログラムモードに設定されている場合（ステップＳ３０１：Ｙｅｓ）について説明する。この場合、Ｆｎレバー切換スイッチ２１１ｅのＦｎレバーＲ１が位置Ａで（ステップＳ３０２：Ｙｅｓ）、かつ、レリーズスイッチ２１１２が半押し中（ステップＳ３０３：Ｙｅｓ）で、第１操作部２１１ｂが操作されたとき（ステップＳ３０４：Ｙｅｓ）、パラメータ制御部２２７ａは、ユーザによる第１操作部２１１ｂの操作に応じて、露出補正を変更する（ステップＳ３０５）。この場合、パラメータ制御部２２７ａは、第１操作部２１１ｂの撮影機能が第１モードであっても、第１操作部２１１ｂの撮影機能を第２モードの撮影機能としての露出補正に切り換える。
【０１３７】
図１５は、ユーザがレリーズスイッチ２１１２を半押しした状態で第１操作部２１１ｂを操作する状況を模式的に示す図である。
【０１３８】
図１５に示すように、ユーザは、左手（図示せず）で撮像装置１０を支えながら、右手の人差し指でレリーズスイッチ２１１２を半押しし、被写体に対するピント位置や露出を決めた状態（たとえば図４のライブビュー画像ＬＶ1を参照）であっても、絵作りの仕上がり結果を予測して被写体の撮影条件に即応した撮影パラメータに変更したい場合がある。しかしながら、図１５に示すように、ユーザは、右手の人差し指でレリーズスイッチ２１１２を半押ししているため、たとえば、第１操作部２１１ｂに絵作りの仕上がりで優先度の高い撮影機能が割り当てられていない場合において、被写体の撮影条件が変化したとき、または所望の絵作りができないと判断したとき、被写体の撮影条件の変化または所望の絵作りに即応した撮影パラメータに容易に変更することができない。
【０１３９】
そこで、本実施の形態２では、パラメータ制御部２２７ａは、レリーズスイッチ２１１２が半押しされた場合、第１操作部２１１ｂの撮影機能を切り換える。これにより、図１５に示すように、右手の人差し指でレリーズスイッチ２１１２を半押しし、被写体に対するピント位置や露出を決めた状態（固定した状態）で、被写体の撮影条件が変化したり、所望の仕上がり結果にしたい場合であっても、第１操作部２１１ｂを親指で操作することで、撮影条件の変化や所望の仕上がりに即応した撮影パラメータに変更することができる。さらに、図１５に示すように、ユーザは、人差し指でレリーズスイッチ２１１２を半押しした状態の撮影姿勢で構えているので、シャッタチャンスを逃すことなく、所望の仕上がり結果を反映させた被写体を確実に撮影することができる。
【０１４０】
続いて、ステップＳ３０６およびステップＳ３０７は、図７のステップＳ２０４およびステップＳ２０５にそれぞれ対応する。ステップＳ３０７の後、撮像装置１０は、上述した実施の形態１で説明した図３のメインルーチンへ戻る。
【０１４１】
ステップＳ３０４において、第１操作部２１１ｂが操作されてないとき（ステップＳ３０４：Ｎｏ）、撮像装置１０は、ステップＳ３０６へ移行する。
【０１４２】
ステップＳ３０２において、Ｆｎレバー切換スイッチ２１１ｅのＦｎレバーＲ１が位置Ａにある場合（ステップＳ３０２：Ｙｅｓ）において、レリーズスイッチ２１１２が半押し中でないとき（ステップＳ３０３：Ｎｏ）、撮像装置１０は、後述するステップＳ３０８へ移行する。
【０１４３】
ステップＳ３０２において、Ｆｎレバー切換スイッチ２１１ｅのＦｎレバーＲ１が位置Ａにない場合（ステップＳ３０２：Ｎｏ）、撮像装置１０は、後述するステップＳ３０８へ移行する。
【０１４４】
ステップＳ３０８〜ステップＳ３１１は、図７のステップＳ２０６〜ステップＳ２０９にそれぞれ対応する。ステップＳ３１１の後、撮像装置１０は、上述した実施の形態１で説明した図３のメインルーチンへ戻る。
【０１４５】
ステップＳ３０１において、撮像装置１０の撮影モードがプログラムモードに設定されていない場合（ステップＳ３０１：Ｎｏ）において、撮像装置１０の撮影モードがマニュアルモードに設定されているとき（ステップＳ３１２：Ｙｅｓ）、撮像装置１０は、ステップＳ３１３に移行する。
【０１４６】
続いて、Ｆｎレバー切換スイッチ２１１ｅのＦｎレバーＲ１が位置Ａにある場合（ステップＳ３１３：Ｙｅｓ）において、レリーズスイッチ２１１２が半押し中で（ステップＳ３１４：Ｙｅｓ）、第１操作部２１１ｂが操作されたとき（ステップＳ３１５：Ｙｅｓ）、パラメータ制御部２２７ａは、第１操作部２１１ｂの操作に応じて、撮像装置１０に設定された撮影パラメータのシャッタスピードを変更する（ステップＳ３１６）。これにより、被写体の撮影条件や状態、たとえば移動速度や明るさに即応したシャッタスピードで撮影を行うことができる。ステップＳ３１６の後、撮像装置１０は、ステップＳ３１７へ移行する。
【０１４７】
続いて、第２操作部２１１１が操作された場合（ステップＳ３１７：Ｙｅｓ）、パラメータ制御部２２７ａは、撮像装置１０に設定された撮影パラメータの絞り値を変更する（ステップＳ３１８）。これにより、被写体と背景とにコントラストをつけた撮影を行うことができる。ステップＳ３１８の後、撮像装置１０は、上述した実施の形態１で説明した図３のメインルーチンへ戻る。
【０１４８】
ステップＳ３１５において、第１操作部２１１ｂが操作されてないとき（ステップＳ３１５：Ｎｏ）、撮像装置１０は、ステップＳ３１７へ移行する。
【０１４９】
ステップＳ３１７において、第２操作部２１１１が操作されていない場合（ステップＳ３１７：Ｎｏ）、撮像装置１０は、上述した実施の形態１で説明した図３のメインルーチンへ戻る。
【０１５０】
ステップＳ３１３において、Ｆｎレバー切換スイッチ２１１ｅのＦｎレバーＲ１が位置Ａにない場合（ステップＳ３１３：Ｎｏ）、撮像装置１０は、ステップＳ３１９へ移行する。
【０１５１】
ステップＳ３１９〜ステップＳ３２２は、図７のステップＳ２０６〜ステップＳ２０９にそれぞれ対応する。ステップＳ３２２の後、撮像装置１０は、上述した実施の形態１で説明した図３のメインルーチンへ戻る。
【０１５２】
ステップＳ３０１において、撮像装置１０の撮影モードがプログラムモードに設定されていない場合（ステップＳ３０１：Ｎｏ）において、撮像装置１０の撮影モードがマニュアルモードに設定されていないとき（ステップＳ３１２：Ｎｏ）、撮像装置１０は、ステップＳ３２３に移行する。
【０１５３】
続いて、撮像装置１０の撮影モードが絞り優先モードに設定されている場合（ステップＳ３２３：Ｙｅｓ）、撮像装置１０は、ステップＳ３２４へ移行する。
【０１５４】
その後、Ｆｎレバー切換スイッチ２１１ｅのＦｎレバーＲ１が位置Ａにある場合（ステップＳ３２４：Ｙｅｓ）において、レリーズスイッチ２１１２が半押し中で（ステップＳ３２５：Ｙｅｓ）、第１操作部２１１ｂが操作されたとき（ステップＳ３２６：Ｙｅｓ）、パラメータ制御部２２７ａは、第１操作部２１１ｂの操作に応じて、撮像装置１０に設定された撮影パラメータの絞り値を変更する（ステップＳ３２７）。これにより、被写体の状態、たとえば表情や明るさに即応した絞り値で撮影を行うことができる。ステップＳ３２７の後、撮像装置１０は、ステップＳ３２８へ移行する。
【０１５５】
続いて、第２操作部２１１１が操作された場合（ステップＳ３２８：Ｙｅｓ）、パラメータ制御部２２７ａは、撮像装置１０に設定された撮影パラメータの露出値を変更する（ステップＳ３２９）。これにより、被写体の明るさに即応した露出値で撮影を行うことができる。ステップＳ３２９の後、撮像装置１０は、上述した実施の形態１で説明した図３のメインルーチンへ戻る。
【０１５６】
ステップＳ３２６において、第１操作部２１１ｂが操作されてないとき（ステップＳ３２６：Ｎｏ）、撮像装置１０は、ステップＳ３２８へ移行する。
【０１５７】
ステップＳ３２８において、第２操作部２１１１が操作されていない場合（ステップＳ３２８：Ｎｏ）、撮像装置１０は、上述した実施の形態１で説明した図３のメインルーチンへ戻る。
【０１５８】
ステップＳ３２４において、Ｆｎレバー切換スイッチ２１１ｅのＦｎレバーＲ１が位置Ａにない場合（ステップＳ３２４：Ｎｏ）、撮像装置１０は、ステップＳ３３０へ移行する。
【０１５９】
ステップＳ３３０〜ステップＳ３３３は、図７のステップＳ２０６〜ステップＳ２０９にそれぞれ対応する。ステップＳ３３３の後、撮像装置１０は、上述した実施の形態１で説明した図３のメインルーチンへ戻る。
【０１６０】
ステップＳ３２３において、撮像装置１０の撮影モードが絞り優先モードに設定されていない場合（ステップＳ３２３：Ｎｏ）、撮像装置１０は、ステップＳ３３４へ移行する。
【０１６１】
続いて、撮像装置１０の撮影モードがシャッタ優先モードに設定されている場合（ステップＳ３３４：Ｙｅｓ）、撮像装置１０は、ステップＳ３３５へ移行する。
【０１６２】
その後、Ｆｎレバー切換スイッチ２１１ｅのＦｎレバーＲ１が位置Ａにある場合（ステップＳ３３５：Ｙｅｓ）において、レリーズスイッチ２１１２が半押し中で（ステップＳ３３６：Ｙｅｓ）、第１操作部２１１ｂが操作されたとき（ステップＳ３３７：Ｙｅｓ）、パラメータ制御部２２７ａは、第１操作部２１１ｂの操作に応じて、撮像装置１０に設定された撮影パラメータのシャッタスピードを変更する（ステップＳ３３８）。これにより、被写体の撮影条件に即応したシャッタスピードに瞬時に切り換えて撮影を行うことができる。ステップＳ３３８の後、撮像装置１０は、ステップＳ３３９へ移行する。
【０１６３】
続いて、第２操作部２１１１が操作された場合（ステップＳ３３９：Ｙｅｓ）、パラメータ制御部２２７ａは、撮像装置１０に設定された撮影パラメータの露出値を変更する（ステップＳ３４０）。これにより、被写体の明るさに即応した露出値で撮影を行うことができる。ステップＳ３４０の後、撮像装置１０は、上述した実施の形態１で説明した図３のメインルーチンへ戻る。
【０１６４】
ステップＳ３３７において、第１操作部２１１ｂが操作されてないとき（ステップＳ３３７：Ｎｏ）、撮像装置１０は、ステップＳ３３９へ移行する。
【０１６５】
ステップＳ３３９において、第２操作部２１１１が操作されていない場合（ステップＳ３３９：Ｎｏ）、撮像装置１０は、上述した実施の形態１で説明した図３のメインルーチンへ戻る。
【０１６６】
ステップＳ３３５において、Ｆｎレバー切換スイッチ２１１ｅのＦｎレバーＲ１が位置Ａにない場合（ステップＳ３３５：Ｎｏ）、撮像装置１０は、ステップＳ３４１へ移行する。
【０１６７】
ステップＳ３４１〜ステップＳ３４４は、図７のステップＳ２０６〜ステップＳ２０９にそれぞれ対応する。ステップＳ３４４の後、撮像装置１０は、上述した実施の形態１で説明した図３のメインルーチンへ戻る。
【０１６８】
ステップＳ３３４において、撮像装置１０の撮影モードがシャッタ優先モードに設定されていない場合（ステップＳ３３４：Ｎｏ）、撮像装置１０は、上述した実施の形態１で説明した図３のメインルーチンへ戻る。
【０１６９】
以上説明した本発明の実施の形態２によれば、パラメータ制御部２２７ａがレリーズスイッチ２１１２から１ｓｔが入力された場合、第１操作部２１１ｂに割り当てられた撮影機能を撮影機能に切り換える。これにより、撮影時に被写体の撮影条件の変化に即応した絵作りができる。
【０１７０】
また、本発明の実施の形態２によれば、レリーズスイッチ２１１２が第２操作部２１１１の軸Ｐ１上に設けられているので、レリーズスイッチ２１１２を半押ししながら、第１操作部２１１ｂで絵作りの仕上がり結果に最も反映される撮影パラメータを容易に変更することができる。
【０１７１】
また、本発明の実施の形態２によれば、パラメータ制御部２２７ａが第１操作部２１１ｂおよび第２操作部２１１１それぞれに互い異なる撮影機能を割り当てるとともに、レリーズスイッチ２１１２からの１ｓｔ信号に応じて撮影機能を切り換える。この結果、操作部材の数を増やすことなく、仮想的に操作部の数が増加するので、操作性を維持した状態で小型化を行うことができる。
【０１７２】
なお、本発明の実施の形態２では、Ｆｎレバー切換スイッチ２１１ｅのＦｎレバーＲ１の位置で、パラメータ制御部２２７ａが第１操作部２１１ｂおよび第２操作部２１１１の撮影機能の割り当てを切り換えていたが、Ｆｎレバー切換スイッチ２１１ｅのＦｎレバーＲ１の切換回数に応じて、パラメータ制御部２２７ａが第１操作部２１１ｂおよび第２操作部２１１１の撮影機能の割り当てを切り換えてもよい。具体的には、パラメータ制御部２２７ａは、Ｆｎレバー切換スイッチ２１１ｅのＦｎレバーＲ１の位置Ａと位置Ｂとの間での切換回数に応じて、第１操作部２１１ｂに露出補正、シャッタスピード、絞り、彩度、トーンカーブ、コントラスト、焦点位置、ＡＦ方式、ホワイトバランスおよびＩＳＯの順に撮影機能を切り換えてもよい。この場合において、レリーズスイッチ２１１２が半押しされたとき、絵作りで優先度が高い撮影機能、たとえば露出補正の撮影機能を第１操作部２１１ｂに割り当てるようにすればよい。
【０１７３】
（実施の形態２の変形例）
次に、本発明の実施の形態２に係る変形例について説明する。上述した実施の形態２では、第１操作部２１１ｂおよび第２操作部２１１１の撮影機能をレリーズスイッチ２１１２の状態に応じて切り換えていたが、モード切換スイッチ２１１ｄの撮影機能をレリーズスイッチ２１１２の状態に応じて切り換えてもよい。
【０１７４】
図１６は、本実施の形態２の変形例に係る撮像装置１０が実行する撮影パラメータ設定変更受付処理の概要を示すフローチャートである。
【０１７５】
図１６に示すように、まず、Ｆｎレバー切換スイッチ２１１ｅのＦｎレバーＲ１が位置Ａにある場合（ステップＳ４０１：Ｙｅｓ）、撮像装置１０は、ステップＳ４０２へ移行する。
【０１７６】
ステップＳ４０２〜ステップＳ４０５は、図７のステップＳ２０２〜ステップＳ２０５にそれぞれ対応する。ステップＳ４０５の後、撮像装置１０は、ステップＳ４０６へ移行する。
【０１７７】
続いて、モード切換スイッチ２１１ｄが操作された場合（ステップＳ４０６：Ｙｅｓ）、パラメータ制御部２２７ａは、モード切換スイッチ２１１ｄの操作に応じて、撮像装置１０に設定された撮影パラメータのトーンカーブを変更する（ステップＳ４０７）。ステップＳ４０７の後、撮像装置１０は、上述した実施の形態１で説明した図３のメインルーチンへ戻る。
【０１７８】
ステップＳ４０６において、モード切換スイッチ２１１ｄが操作されていない場合（ステップＳ４０６：Ｎｏ）、撮像装置１０は、上述した実施の形態１で説明した図３のメインルーチンへ戻る。
【０１７９】
ステップＳ４０１において、Ｆｎレバー切換スイッチ２１１ｅのＦｎレバーＲ１が位置Ａにない場合（ステップＳ４０１：Ｎｏ）、撮像装置１０は、ステップＳ４０８へ移行する。
【０１８０】
ステップＳ４０８において、レリーズスイッチ２１１２が半押し中の場合（ステップＳ４０８：Ｙｅｓ）、撮像装置１０は、ステップＳ４０２へ移行する。これに対して、レリーズスイッチ２１１２が半押し中でない場合（ステップＳ４０８：Ｎｏ）、撮像装置１０は、ステップＳ４０９へ移行する。
【０１８１】
ステップＳ４０９〜ステップＳ４１２は、図７のステップＳ２０６〜ステップＳ２０９にそれぞれ対応する。ステップＳ４１２の後、撮像装置１０は、ステップＳ４１３へ移行する。
【０１８２】
続いて、モード切換スイッチ２１１ｄが操作された場合（ステップＳ４１３：Ｙｅｓ）、パラメータ制御部２２７ａは、モード切換スイッチ２１１ｄの操作に応じて、撮像装置１０の撮影モードを切り換える（ステップＳ４１４）。ステップＳ４１４の後、撮像装置１０は、上述した実施の形態１で説明した図３のメインルーチンへ戻る。
【０１８３】
ステップＳ４１３において、モード切換スイッチ２１１ｄが操作されていない場合（ステップＳ４１３：Ｎｏ）、撮像装置１０は、上述した実施の形態１で説明した図３のメインルーチンへ戻る。
【０１８４】
以上説明した本発明の実施の形態２に係る変形例によれば、パラメータ制御部２２７ａがレリーズスイッチ２１１２から１ｓｔが入力された場合、第１操作部２１１ｂおよびモード切換スイッチ２１１ｄに割り当てられた撮影機能を、被写体の撮影条件の変化に対応可能な撮影パラメータを変更する撮影機能に切り換える。これにより、撮影時に被写体の撮影条件の変化に即応した絵作りができるとともに、操作部材の数を増やすことなく、仮想的に操作部の数が増加するので、操作性を維持した状態で小型化を行うことができる。
【０１８５】
（その他の実施の形態）
また、本発明に係る撮像装置は、複数の操作部を設けていたが、たとえば、一つの操作部をレリーズスイッチの状態に応じて、割り当てられた撮影機能を切り換えてもよい。たとえば、図１７に示すように、撮像装置４０に、レリーズスイッチ４０１と、第１操作部３とを設け、レリーズスイッチ４０１が半押しされた場合、パラメータ制御部９ａが第１操作部３の撮影機能を、たとえばホワイトバランスから露出補正に切り換えてもよい。
【０１８６】
また、本発明に係る撮像装置は、第２操作部とレリーズスイッチとを一体的に設けていたが、たとえば、第１操作部に第２操作部を並列させて設けてもよい。たとえば、図１８に示すように、撮像装置５０に、レリーズスイッチ４０１を被写体側に設け、第１操作部３に第２操作部５０１を並列させて設けてもよい。
【０１８７】
また、本発明に係る撮像装置は、レンズ鏡筒に設けられた操作リングに適用することもできる。たとえば、図１９に示すように、撮像装置６０に、操作リング７０１を設け、レリーズスイッチ４ｂが半押しされた場合、パラメータ制御部９ａが操作リング７０１に割り当てられた撮影機能を、たとえば絞りから露出補正に切り換えてもよい。
【０１８８】
また、本発明に係る撮像装置は、動画スイッチから動画を撮影する指示信号が入力された場合、パラメータ制御部が第１操作部および第２操作部の撮影機能を切り換えるようにしてもよい。
【０１８９】
また、本発明に係る撮像装置は、人差し指でレリーズスイッチを押圧していたが、これに限定されることなく、親指や中指等で行ってもよい。
【０１９０】
また、本発明に係る撮像装置は、撮像装置のアクセサリ通信部を介して着脱自在なレリーズスイッチや無線レリーズスイッチから１ｓｔが入力された場合、パラメータ制御部が第１操作部および第２操作部の撮影機能を切り換えてもよい。
【０１９１】
また、本発明に係る撮像装置は、顕微鏡装置、医療装置、医療システムにも適用することができる。具体的には、内視鏡装置で適用する場合、施術者（医者）が内視鏡で撮影する際に、焦点位置を調整する指示信号の入力を受け付ける操作部に対して操作されたとき、予め内視鏡のモード、たとえば通常観察モードからＮＢＩモードに変更する指示信号の入力を受け付ける機能が設定された操作部、たとえ画像の拡大や電気メスの駆動等の機能に切り換えてもよい。もちろん、顕微鏡装置の場合、ステージの移動を指示する指示信号の入力を受け付ける操作部が操作された場合、他の操作部材の機能を他の機能、たとえば、対物レンズを有するターレットや照明系の種類を変更する機能に切り換えてもよい。
【０１９２】
また、本発明に係る撮像装置は、デジタル一眼レフカメラ以外にも、たとえば、デジタルカメラ、デジタルビデオカメラおよび撮像機能を有する携帯電話やタブレット型携帯機器等の電子機器にも適用することができる。
【０１９３】
また、本発明に係る撮像装置に実行させるプログラムは、インストール可能な形式または実行可能な形式のファイルデータでＣＤ−ＲＯＭ、フレキシブルディスク（ＦＤ）、ＣＤ−Ｒ、ＤＶＤ（Digital  Versatile  Disk）、ＵＳＢ媒体、フラッシュメモリ等のコンピュータで読み取り可能な記録媒体に記録されて提供される。
【０１９４】
また、本発明に係る撮像装置に実行させるプログラムは、インターネット等のネットワークに接続されたコンピュータ上に格納し、ネットワーク経由でダウンロードさせることにより提供するように構成しても良い。さらに、本発明に係る撮像装置に実行させるプログラムをインターネット等のネットワーク経由で提供または配布するように構成しても良い。
【０１９５】
なお、本明細書におけるフローチャートの説明では、「まず」、「その後」、「続いて」等の表現を用いてステップ間の処理の前後関係を明示していたが、本発明を実施するために必要な処理の順序は、それらの表現によって一意的に定められるわけではない。すなわち、本明細書で記載したフローチャートにおける処理の順序は、矛盾のない範囲で変更することができる。
【０１９６】
このように、本発明は、ここでは記載していない様々な実施の形態を含みうるものであり、特許請求の範囲によって特定される技術的思想の範囲内で種々の設計変更等を行うことが可能である。
【符号の説明】
【０１９７】
１，１０，４０，５０，６０  撮像装置
２  撮像部
３，２１１ｂ  第１操作部
４，２１１ｃ  レリーズ機構
４ａ，５０１，２１１１  第２操作部
４ｂ，４０１，２１１２  レリーズスイッチ
５  変更指示部
６  表示部
７  記録部
７ａ，２２４ｂ  優先度情報記録部
８  記録媒体
９  制御部
９ａ，２２７ａ  パラメータ制御部
９ｂ，２２７ｂ  撮影制御部
９ｃ，２２７ｃ  表示制御部
２０  本体部
３０  レンズ部
２０１  シャッタ
２０２  シャッタ駆動部
２０３  撮像素子
２０４  撮像素子駆動部
２０５  信号処理部
２０６  Ａ／Ｄ変換部
２０７  画像処理部
２０７ａ  基本画像処理部
２０７ｂ  特殊効果処理部
２０８  ＡＥ処理部
２０９  ＡＦ処理部
２１０  画像圧縮展開部
２１１  入力部
２１１ｄ  モード切換スイッチ
２１１ｅ  Ｆｎレバー切換スイッチ
２１１ｆ  動画スイッチ
２１１ｇ  再生スイッチ
２１１ｈ  メニュースイッチ
２１１ｉ  メニュー操作スイッチ
２１２  アクセサリ通信部
２１３  接眼表示部
２１４  アイセンサ
２１５  可動部
２１６  背面表示部
２１７  タッチパネル
２１８  回動判定部
２１９  状態検出部
２２０  時計
２２１  記録媒体
２２２  メモリＩ／Ｆ
２２３  ＳＤＲＡＭ
２２４  Ｆｌａｓｈメモリ
２２４ａ  プログラム記録部
２２４ｃ  設定情報記録部
２２５  本体通信部
２２６  バス
２２７  本体制御部
３０１  ズームレンズ
３０７  フォーカスレンズ
３１３  レンズ制御部
【図１】
2015052768.tif 000003
【図２】
2015052768.tif 000004
【図３】
2015052768.tif 000005
【図４】
2015052768.tif 000006
【図５ａ】
2015052768.tif 000007
【図５ｂ】
2015052768.tif 000008
【図５ｃ】
2015052768.tif 000009
【図５ｄ】
2015052768.tif 000010
【図５ｅ】
2015052768.tif 000011
【図５ｆ】
2015052768.tif 000012
【図５ｇ】
2015052768.tif 000013
【図５ｈ】
2015052768.tif 000014
【図６】
2015052768.tif 000015
【図７】
2015052768.tif 000016
【図８】
2015052768.tif 000017
【図９】
2015052768.tif 000018
【図１０】
2015052768.tif 000019
【図１１】
2015052768.tif 000020
【図１２】
2015052768.tif 000021
【図１３】
2015052768.tif 000022
【図１４】
2015052768.tif 000023
【図１５】
2015052768.tif 000024
【図１６】
2015052768.tif 000025
【図１７】
2015052768.tif 000026
【図１８】
2015052768.tif 000027
【図１９】
2015052768.tif 000028